(57)【特許請求の範囲】
【請求項１】
一定サイズのチケット部が連続して形成されてなるチケット用紙に対して、印字手段により各チケット部毎に必要事項を印字し、切断手段により各チケット部毎に切断してチケットの発行を行なうチケットプリンタにおいて、
前記チケット用紙を検知するチケット用紙検知手段と、
前記チケット用紙を前記印字手段による印字位置から前記切断手段による切断位置の方向にフィードするフィード手段と、
前記チケット用紙を前記フィード手段によるフィード方向とは反対の方向にバックフィードさせるバックフィード手段と、
前記チケット用紙をセットしたときに前記フィード手段または前記バックフィード手段により前記チケット用紙をフィードまたはバックフィードして前記チケット用紙検知手段により検知される位置に前記チケット用紙の先端を位置させ、その後前記フィード手段または前記バックフィード手段により前記チケット用紙を予め設定された距離だけフィードまたはバックフィードして前記チケット用紙の先端を前記印字手段による印字位置に位置させる位置決め制御手段とを具備し、
チケット用紙のチケット部毎に印刷されている位置決め用マークを検知するマーク検知手段を設け、
位置決め制御手段は、チケット用紙をセットしたときにフィード手段またはバックフィード手段により前記チケット用紙をフィードまたはバックフィードしてチケット用紙検知手段により検知される位置に前記チケット用紙の先端を位置させた後、前記フィード手段により前記チケット用紙をその１枚目のチケット部に印刷されている前記位置決め用マークが前記マーク検知手段により検知されるまでフィードし、そのフィード量に基づいて前記１枚目のチケット部が正規の長さか否かを判断し、正規の長さであると判断した場合には前記バックフィード手段により前記チケット用紙を予め設定された第１の距離だけバックフィードして前記チケット用紙の先端を印字手段による印字位置に位置させ、正規の長さでないと判断した場合には切断手段によりその１枚目のチケット部を切断した後前記バックフィード手段により前記チケット用紙を予め設定された第２の距離だけバックフィードさせて前記印字手段による印字位置に位置させる手段としたことを特徴とするチケットプリンタ。
【請求項２】
チケット用紙検知手段は、チケット用紙の先端を検知するものであることを特徴とする請求項１記載のチケットプリンタ。
【請求項３】
位置決め制御手段は、チケット用紙の１枚目のチケット部が正規のものでないと判断しその１枚目のチケット部を切断手段により切断する際に少なくとも２箇所で切断することを特徴とする請求項１記載のチケットプリンタ。
【請求項４】
チケット用紙検知手段とマーク検知手段とを共通のセンサで構成したことを特徴とする請求項１記載のチケットプリンタ。
【発明の詳細な説明】
【０００１】
【発明の属する技術分野】
本発明は、チケットプリンタに関する。
【０００２】
【従来の技術】
一定サイズのチケット部が用紙長手方向に連続して形成され、各チケット部にはそれぞれ項目名等の固定的な事項がプレ印刷されているチケット用紙（たとえば、ロールのように巻かれているもの）に対し、各チケット部毎にコンサート名やその座席などの可変的な事項を印字し、さらに、その印字したチケット部をカッターで切断してチケットの発行を行なうサーマル印字方式のチケットプリンタが知られている。
【０００３】
このチケットプリンタにチケット用紙をセットするときは、先ず、ヘッドカバーを開いてチケット用紙をロール装着部に装着する。次に、チケット用紙の先端を搬送路に沿って引き出し、サーマルヘッドとそれに対向して設けられているプラテンローラとの間を通してセットする。最後に、ヘッドカバーを閉じる。そうすると、チケットプリンタがチケット用紙を印字位置に合わせるための位置決め制御を行なう。
【０００４】
従来、この位置決め制御はチケット用紙に印刷されている位置決め用マークを搬送路上に設置されているセンサで検知するまでチケット用紙を前方にフィードさせ、位置決め用マークを検知すると、予め設定された第１の距離だけさらにチケット用紙を前方にフィードさせてチケット部間の境界で切断した後、チケット用紙を後方に予め設定された第２の距離だけバックフィードさせて、チケット用紙の先端を印字位置に位置決めしていた。
【０００５】
【発明が解決しようとする課題】
しかし、このようなチケットプリンタにおける従来の位置決め制御技術では、チケット用紙をセットする毎に１枚目のチケット部が切断され排出されており、その排出されたチケット部は廃棄せざるを得ず、チケット用紙を無駄にしていた。また、このように廃棄されたチケット部が第三者の手に渡ると、チケット部は真正な用紙であるため、不正な印字を行なうことにより偽造チケットが造られてしまうおそれがあった。
【０００６】
本発明は上記事情に鑑みてなされたものであって、その目的は、チケット用紙をセットした際にその１枚目のチケット部を廃棄してしまうことがなく、チケット用紙を無駄にしないチケットプリンタを提供することにある。
【０００７】
また、本発明の他の目的は、チケット用紙の１枚目のチケット部が規定サイズのものであるときにはそれを利用してチケットを印字発行することができ、規定サイズ以外のものであるときにはセット時に排除して不正なサイズのチケットが発行されるのを未然に防止でき、１枚目のチケット部が規定サイズの場合にチケット用紙を無駄にしないチケットプリンタを提供することにある。
【０００８】
また、本発明のさらに他の目的は、チケット用紙の１枚目のチケット部が規定サイズ以外のものであるために排除されたチケット用紙の不正利用を未然に防止できるチケットプリンタを提供することにある。
【０００９】
【課題を解決するための手段】
本願請求項１記載の発明は、一定サイズのチケット部が連続して形成されてなるチケット用紙に対して、印字手段により各チケット部毎に必要事項を印字し、切断手段により各チケット部毎に切断してチケットの発行を行なうチケットプリンタにおいて、チケット用紙を検知するチケット用紙検知手段と、チケット用紙を印字手段による印字位置から切断手段による切断位置の方向にフィードするフィード手段と、チケット用紙をフィード手段によるフィード方向とは反対の方向にバックフィードさせるバックフィード手段と、チケット用紙をセットしたときにフィード手段またはバックフィード手段によりチケット用紙をフィードまたはバックフィードしてチケット用紙検知手段により検知される位置にチケット用紙の先端を位置させ、その後フィード手段またはバックフィード手段によりチケット用紙を予め設定された距離だけフィードまたはバックフィードしてチケット用紙の先端を印字手段による印字位置に位置させる位置決め制御手段とを具備し、チケット用紙のチケット部毎に印刷されている位置決め用マークを検知するマーク検知手段を設け、位置決め制御手段は、チケット用紙をセットしたときにフィード手段またはバックフィード手段によりチケット用紙をフィードまたはバックフィードしてチケット用紙検知手段により検知される位置にチケット用紙の先端を位置させた後、フィード手段によりチケット用紙をその１枚目のチケット部に印刷されている位置決め用マークがマーク検知手段により検知されるまでフィードし、そのフィード量に基づいて１枚目のチケット部が正規の長さか否かを判断し、正規の長さであると判断した場合にはバックフィード手段によりチケット用紙を予め設定された第１の距離だけバックフィードしてチケット用紙の先端を印字手段による印字位置に位置させ、正規の長さでないと判断した場合には切断手段によりその１枚目のチケット部を切断した後バックフィード手段によりチケット用紙を予め設定された第２の距離だけバックフィードさせて印字手段による印字位置に位置させる手段としたチケットプリンタである。
【００１１】
本願請求項２記載の発明は請求項１記載の発明において、チケット用紙検知手段は、チケット用紙の先端を検知するものとしたチケットプリンタである。
【００１２】
本願請求項３記載の発明は請求項１記載の発明において、位置決め制御手段は、チケット用紙の１枚目のチケット部が正規のものでないと判断しその１枚目のチケット部を切断手段により切断する際に少なくとも２箇所で切断する制御手段としたチケットプリンタである。
【００１３】
本願請求項４記載の発明は請求項１記載の発明において、チケット用紙検知手段とマーク検知手段とを共通のセンサで構成したチケットプリンタである。
【００１４】
【発明の実施の形態】
以下、本発明の一実施の形態について図面を参照して説明する。
なお、この実施の形態では、図５に示すように、縦がＸで横がＹの長方形のチケット部１ａ，１ｂ，１ｃ，…が用紙長手方向に連続して形成され、各チケット部１ａ，１ｂ，１ｃ，…の所定位置にそれぞれ位置決め用マーク（ブラックマーク）３１が予め印刷されたチケット用紙１を用いるものとする。図５において、破線３２及び３３はそれぞれ切断線を示している。
【００１５】
図１は本実施の形態におけるチケットプリンタの内部構造の要部を示す模式図である。一定サイズのチケット部１ａ，１ｂ，１ｃ，…が用紙長手方向に連続して形成されてなるロール状のチケット用紙１がロール装着部としてのメインフレーム２上に配置されていて、メインフレーム２はチケット用紙１の搬送路３と一体となって形成されている。そして、この搬送路３には、チケット用紙１に印字する印字手段としてのサーマルヘッド４、このサーマルヘッド４に対向して設けられたプラテンローラ５、チケット用紙１の有無を検知するチケット用紙検出手段及び位置決め用マーク３１を検知するマーク検出手段として機能するＢＯＦセンサ６、チケット用紙１を切断する切断手段としてのカッター７が、メインフレーム２側から順に設けられている。
【００１６】
プラテンローラ５は、正逆転可能なステッピングモータからなるプラテンモータ８の正転により図中矢印Ｂ方向に回転し、同プラテンモータ８の逆転により図中矢印Ｃ方向に回転する。チケット用紙１は、サーマルヘッド４とプラテンローラ５との間で挟持され、プラテンローラ５のＢ方向の回転により図中Ａ方向，つまりサーマルヘッド４による印字位置からカッター７による切断位置の方向にフィードされる。また、プラテンローラ５のＣ方向の回転により図中Ａ方向とは反対のＤ方向にバックフィードされる。ここに、プラテンモータ８及びプラテンローラ５は、フィード手段及びバックフィード手段を構成する。
なお、図１中Ｌはカッター７によるチケット用紙１の切断位置を示し、ＭはＢＯＦセンサ６の検知位置を示し、Ｎはサーマルヘッド４による印字位置を示す。
【００１７】
図２はチケットプリンタの構成を示すブロック図である。制御部本体として各種動作を制御するＣＰＵ（中央処理装置）１１が設けられている。また、このＣＰＵ１１に動作を行なわせるための各種プログラム等を格納したＲＯＭ（リード・オンリー・メモリ）１２、各種計算を行なわせるためのワークエリアやカウンタＩのエリアなどのメモリエリアを備えたＲＡＭ（ランダム・アクセス・メモリ）１３、外部からの入力を行なうためのキーボード１４を制御するキーボードコントローラ１５、サーマルヘッド４およびプラテンモータ８の駆動を制御するプリンタコントローラ１７、ＢＯＦセンサ６からの信号を入力するＩ／Ｏポート１８、カッター７を制御するカッターコントローラ１９及びＥＥＰＲＯＭ２０が設けられている。
【００１８】
そしてＣＰＵ１１とＲＯＭ１２、ＲＡＭ１３、キーボードコントローラ１５、プリンタコントローラ１７、Ｉ／Ｏポート１８、カッターコントローラ１９及びＥＥＰＲＯＭ２０は、バスライン２１を介して接続されている。
【００１９】
上記ＥＥＰＲＯＭ２０には、チケット用紙１をフィードまたはバックフィードさせる距離を定めるためのプラテンモータ８に対する印加パルスデータ２０ａとして、ＢＯＦセンサ６による検知位置Ｍからサーマルヘッド４による印字位置までの距離だけチケット用紙１をバックフィードさせるときに要する印加パルスデータ（１６パルス）と、チケット用紙１の１枚目のチケット部１ａが正規サイズのものであるときその先端から１枚目の位置決め用マーク３１までの距離だけチケット用紙１をフィードさせるのに要する印加パルスデータ（１１７６パルス）とが設定されている。プラテンモータ８に対する印加パルス数は、カウンタＩで計数するものとなっている。
【００２０】
以下、このように構成されたチケットプリンタの作用について図３と図４とを用いて説明する。図３はＣＰＵ１１の制御の流れを示す流れ図で、図４は搬送路３におけるチケット用紙１の先端の動作を示す図である。
【００２１】
先ず、チケットプリンタのヘッドカバー（不図示）を開いて、チケット用紙１をメインフレーム２にのせ、チケット用紙１の先端を引き出し、サーマルヘッド４とプラテンローラ５との間を通してセットしたならば、ヘッドカバーを閉じる。このとき、チケット用紙は、図４▲１▼に示すように、その先端がＢＯＦセンサ６の検知位置Ｍより下流側（切断位置Ｌ側）に位置する。
【００２２】
ＣＰＵ１１は、ＳＴ１としてヘッドカバーが閉じられたことからチケット用紙１がセットされたと認識すると、ＳＴ２としてＲＡＭ１３のフラグを「０」にリセットする。次に、ＳＴ３としてプラテンモータ８を逆転させてチケット用紙１をＤ方向にバックフィードする。また、ＳＴ４としてカウンタIを「０」にリセットする。次に、ＳＴ５としてＢＯＦセンサ６がチケット用紙１を検知しているか否かを判断する。ＢＯＦセンサ６がチケット用紙１を検知している間はバックフィードを続ける。ＢＯＦセンサ６がチケット用紙１を検知しなくなると、ＳＴ６としてカウンタＩによりプラテンモータ８に対する印加パルス数の計数動作を開始させる。そして、ＳＴ７としてカウンタIが「１６」に達するまでチケット用紙１のバックフィードを継続し、カウンタＩが「１６」に達すると、ＳＴ８としてプラテンモータ８を止めてチケット用紙１のバックフィードを停止させる。このとき、チケット用紙１は、図４▲２▼に示すように、その先端がＢＯＦセンサ６の検知位置Ｍより上流側（印字位置Ｎ）に位置する。
【００２３】
次に、ＳＴ９として前記フラグをチェックする。この場合、フラグは「０」にリセットされており、チケット用紙１の１枚目のチケット部１ａが正規サイズのものか否か確定していないので、ＳＴ１０としてプラテンモータ８を正転させてチケット用紙１をＡ方向にフィードさせる。そして、ＳＴ１１としてＢＯＦセンサ６がチケット用紙１の先端を検知するのを待機する。ここで、ＢＯＦセンサ６がチケット用紙１の先端を検知したならば（図４▲３▼の状態）、ＳＴ１２としてカウンタIを一旦「０」にリセットした後、ＳＴ１３として再びプラテンモータ８に対する印加パルス数の計数動作を開始させる。そして、ＳＴ１４としてＢＯＦセンサ６がチケット用紙１の１枚目のチケット部１ａに印刷された位置決め用マーク３１を検知するのを待機する。ここで、位置決め用マーク３１を検知したならば（図４▲４▼の状態）、ＳＴ１５としてプラテンモータ８を止めてチケット用紙１のフィードを停止させる。
【００２４】
次に、ＳＴ１６としてカウンタＩが「１１７６」を計数しているか否かを判断する。ここで、カウンタＩが「１１７６」を計数していない場合には、１枚目のチケット部１ａの横幅Ｙは正しい幅でなく、このチケット部１ａは正規の長さでないので、ＳＴ１７としてカッター７を動作させてチケット用紙１の切断を行なう。次に、ＳＴ１８としてプラテンモータ８を、検知位置Ｍから切断位置Ｌまでの固定距離とチケット部の位置決め用マーク３１からその後方の切断線３３までの固定距離とから定まる一定のステップ数だけ正転させて、ＢＯＦセンサ６で検知した位置決め用マーク３１の後方の切断線３３がカッター７による切断位置Ｌに位置するまでチケット用紙１をＡ方向にフィードさせる。そしてフィード後、ＳＴ１９としてプラテンモータ８を止めて、チケット用紙１のフィードを停止させたならば、ＳＴ２０としてカッター７を動作させてチケット用紙１の切断を行なう。
【００２５】
一方、ＳＴ１６にてカウンタＩが「１１７６」を計数している場合には、１枚目のチケット部１ａの横幅Ｙは正しい幅であり、このチケット部１ａは正規の長さなので、上記ＳＴ１７乃至ＳＴ２０の処理は行なわない。
【００２６】
その後、ＳＴ２１として前記フラグを「１」にセットしたならばＳＴ３の処理に戻り、プラテンモータ８を逆転させてチケット用紙１をＤ方向に再度バックフィードする。そして、ＳＴ４にてカウンタＩを「０」にリセットし、ＳＴ５にてＢＯＦセンサ６がチケット用紙１を検知しなくなるのを待機する。ＢＯＦセンサ６がチケット用紙１を検知しなくなると、ＳＴ６にてカウンタＩによるプラテンモータ８に対する印加パルス数の計数動作を開始させ、ＳＴ７にて「１６」を計数したことを確認すると、ＳＴ８にてプラテンモータ８を止めてバックフィードを停止させる。そして、ＳＴ９にて前記フラグを判断する。この場合、フラグは「１」にセットされているので、この位置決め制御を終了する。このとき、チケット用紙は、図４▲５▼に示すように、その先端が印字位置Ｎに位置決めされる。
【００２７】
このように本実施の形態によれば、チケット用紙１をチケットプリンタにセットしたときに、１枚目のチケット部ａの横幅Ｙが規定の値であるときにはこの１枚目のチケット部１ａが正規の長さのチケットであると判断されて、その先端が印字位置Ｍに正確に位置決めされるので、１枚目のチケット部１ａから必要事項を印字してチケットとして発行することができる。したがって、チケット用紙１の１枚目のチケット部１ａが無駄に廃棄されることがなくなる。
【００２８】
また、チケット用紙１の１枚目のチケット部１ａの横幅Ｙが規定の値でない場合には、そのチケット部１ａは正規の長さでないと判断され、自動的に２枚目のチケット部１ｂとの境界（切断線３３）で切断された後、２枚目のチケット部１ｂの先端が印字位置Ｍに正確に位置決めされる。したがって、横幅が規定の値でない１枚目のチケット部１ａにデータが印字されてチケットが発行されることはない。また、横幅が規定の値でないために切断され排除されるチケット部１ａは、その横幅Ｙが検知位置Ｍから切断位置Ｌまでの距離より長い場合にチケット部１ａの中間部でも切断されるので、廃棄後、不正使用されるおそれはない。
【００２９】
なお、チケット用紙１の１枚目のチケット部１ａの横幅Ｙが規定の値でない場合に前記実施の形態では、図４のＳＴ１７とＳＴ２０の処理で２度切断することで不正使用の防止を図ったが、チケット用紙１の先端を一旦印字位置Ｎまでバックフィードさせ、その後、１枚目のチケット部１ａに「このチケットは使用できません」などの正規なチケットでないことが視認できる印字を行ない、その後切断位置Ｌまでフィードして１枚目のチケット部１ａを切断し排除することにより、チケットの不正利用を防止することも可能である。
【００３０】
また、ＢＯＦセンサ６によって、チケット用紙１の有無検知および位置決め用マーク３１の検知を行なうものとしたが、それぞれ別々のセンサを設けても、そのセンサの位置を考慮して印加パルス数データを設定することにより容易に対応できる。
【００３１】
【発明の効果】
以上詳述したように本願請求項１及び３記載の発明によると、チケット用紙をセットした際にその１枚目のチケット部を廃棄してしまうことがなく、チケット用紙を無駄にしないチケットプリンタを提供できる。
また、本願請求項２及び３記載の発明によると、チケット用紙の１枚目のチケット部が規定サイズのものであるときにはそれを利用してチケットを印字発行することができ、規定サイズ以外のものであるときにはセット時に排除して不正なサイズのチケットが発行されるのを未然に防止でき、１枚目のチケット部が規定サイズの場合にチケット用紙を無駄にしないチケットプリンタを提供できる。
また、本願請求項４記載の発明によると、チケット用紙の１枚目のチケット部が規定サイズ以外のものであるために排除されたチケット用紙の不正利用を未然に防止できるチケットプリンタを提供できる。
また、本願請求項５記載の発明によると、本願請求項２記載の発明と同等の効果を得るのに必要なセンサの数を減らすことができ、コストダウンを図ることができるチケットプリンタを提供できる。
【図面の簡単な説明】
【図１】  本実施の形態におけるチケットプリンタの要部の内部構造の要部を示す模式図。
【図２】  本実施の形態におけるチケットプリンタの構成を示すブロック図。
【図３】  本実施の形態におけるＣＰＵの制御の流れを示す流れ図。
【図４】  本実施の形態における搬送路上のチケット用紙の先端部分の動作を示す図。
【図５】  本実施の形態で使用するチケット用紙の構成図。
【符号の説明】
１…チケット用紙
４…サーマルヘッド（印字手段）
５…プラテンローラ（フィード手段，バックフィード手段）
６…ＢＯＦセンサ（チケット用紙検知手段、マーク検知手段）
７…カッター（切断手段）
８…プラテンモータ（フィード手段，バックフィード手段）
１１…ＣＰＵ（位置決め制御手段）
Ｌ…切断位置
Ｍ…検知位置
Ｎ…印字位置
【図１】
0003816741.tif 000002
【図２】
0003816741.tif 000003
【図３】
0003816741.tif 000004
【図４】
0003816741.tif 000005
【図５】
0003816741.tif 000006